(57)【特許請求の範囲】
【請求項１】
使用者の状況を通信相手に通知する複数の応答メッセージを記憶する記憶手段と、
前記記憶手段に記憶された前記複数の応答メッセージから、通信相手に送出する応答メッセージを着信前に予め選択する応答メッセージ選択手段と、
着信があったとき、前記選択された応答メッセージを通信相手に送出するか否かを着信前に予めオンオフにより登録しておくファンクションキーと、
使用者に着信を報知する複数の報知手段の中から、振動による着信報知を行う報知手段を着信前に予め設定する着信報知設定手段と、
前記ファンクションキーが着信前に予めオンにされている場合に着信があったとき、前記振動による着信報知を行うとともに、前記登録された前記応答メッセージを送出することにより、振動による着信報知と応答メッセージを併用するように制御する制御手段とを備え、
使用者がマナーにより携帯電話装置の使用が制限されている場所においても、周囲に迷惑をかけることなく着信があったことを知りかつ通信相手に使用者の状況を通知することができることを特徴とする携帯電話装置。
【発明の詳細な説明】
【０００１】
【発明の属する技術分野】
本発明は、電話装置、特に携帯用の電話装置やコードレス電話装置などの携帯型の移動無線通信装置に関し、これらに着信があったときに、使用者が車両などを運転中であったり、携帯電話等の使用が制限されている場所に居たりして、直ちに発信相手と通話できない場合に、これを容易に発信相手に知らせることができる電話装置、特に携帯用の電話装置に関する。
【０００２】
【従来の技術】
現在の携帯用の電話装置（以下、携帯電話装置とも呼称する）では、着信があるとその使用者は、電話にでなければならないわけであるが、必ずしも直ちに電話にでられるというわけではない。特に、使用者が車両などを運転中であるような場合は、直ちに電話にでることはできない。従来においても、このような場合に備えて、電話を保留にする機能がある。
【０００３】
これは、直ちに電話を受けられない場合に保留ボタンを押下することにより相手に対し直ちに応答できない旨のメッセージを基地局を通じて発信相手に通知し、電話回線が接続されたことを知らせるとともに、呼出し音を小さくして、通話条件が整った後に通話を開始する。このような携帯用電話機は、特開平８−１６３２０８号公報に開示されている。
【０００４】
しかしながら、このような単一の応答メッセージ機能だけでは、使用者がいかなる理由により電話を保留にしているかが発信相手に通知することができない。
【０００５】
すなわち、発信相手は使用者が携帯電話装置の使用が制限されている場所に居て、そこから移動中なのか、現在別の用件により電話にでられないのか、または、車両などを運転中で停車するまで電話にでられないのか知ることができない。したがって、状況によっては保留の時間が長時間に及び、発信相手側から電話を切ってしまうことも考えられる。
【０００６】
このように携帯電話装置に着信があったとき、その使用者が直ちに電話にでられない場合に、その状況を発信相手に通知する手段がなく、また、発信相手も、携帯電話装置の使用者の状況を知ることができないという不都合があった。
【０００７】
さらに、携帯電話装置等は、携帯時の使用例をみると保管場所としては、鞄の中というのが大半を占めている。したがって、着信時に、直ちに電話に出られない状況にあるにもかかわらず、いちいち鞄の中から携帯電話装置を取り出さなくてはならないなど、このような状況における使い勝手の向上にも何ら配慮がなされていなかった。
【０００８】
【発明が解決しようとする課題】
本発明は、上記の事情に着目してなされたもので、その目的とするところは、携帯電話装置の使用者が直ちに電話にでられない場合であっても、携帯電話装置の使用者が簡単な操作によって、その状況を発信相手に通知することができる携帯電話装置を提供することにある。
【０００９】
【課題を解決するための手段】
前記目的は、特許請求の範囲記載の発明によって達成される。
【００２６】
【発明の実施の形態】
以下、図面を用いて本発明の一実施例について説明する。
【００２７】
図１は本発明の第１の実施例における携帯電話装置の構成図である。また、図２に本発明の第１の実施例における携帯電話装置の外観図を示す。
【００２８】
図１で示すように、携帯電話装置１において、基地局（図示せず）から送られた無線通信信号は、アンテナ３を介して無線送受信回路４に入力される。ここで中間周波信号に変換される。そして、この受信中間周波信号はデジタル変復調回路５によりデジタル復調され、デジタル復調された受信信号は、誤り訂正符号復号回路６で復号化される。ここで、誤り訂正符号復号回路６で復号化され出力される信号には、デジタル通話信号とデジタル制御信号とがあり、このうちデジタル制御信号は制御回路１０に供給され識別される。一方、デジタル通話信号は音声符号復号回路７で復号化処理されてアナログ通話信号に戻された後、受話器８から出力される。
【００２９】
これに対し、送話音声は、送話器９で送話信号に変換された後、音声符号復号回路７で符号化によりデジタル送話信号に変換される。このデジタル送話信号は制御回路１０で生成されるデジタル制御信号と共に誤り訂正符号復号回路６で符号化された後に、デジタル変復調回路５に入力され直交変調信号に変調される。変調信号は、無線送受信回路４で所定の無線チャネルの高周波信号に変換された後にアンテナ３から基地局に送信される。
【００３０】
ところで、上記の制御回路１０はマイクロコンピュータを主制御部として備えたもので、各部の制御を行う機能に加えて、通信相手へのメッセージの生成、そのメッセージのメモリへの記憶、および、そのメッセージを通信相手に送出する手段も有している。また、携帯電話装置１の電源は、バッテリ電源１８を使用し、電源スイッチ１９を介して各部に供給される。
【００３１】
次に、本発明にかかる携帯電話装置１の動作について、図１と図２、および動作フローを示した図３を用いて説明する。
【００３２】
携帯電話装置１は、使用者が機械や車両などの操作または運転中であったり会議中である等の理由で、直ちに電話に出られない状況になると想定される場合には、これに備えて予めメッセージを作成することができる。
【００３３】
すなわち、送話器９からの音声アナログ信号を音声符号復号化回路７でシリアルのデジタルデータに変換する。これを、誤り訂正符号復号回路６でシリアルからパラレルの信号に変換し、制御回路１０を介して、記憶回路１２に記憶する。ここで、記憶回路１２はメッセージを専用に記憶するものでなく、制御回路１０が使用する記憶回路を共用している。
【００３４】
また、記憶回路１２に記憶させておくメッセージは、予めいくつかのパターンを読み出し専用メモリ（ＲＯＭ）に記憶しておくことにより、使用者のメッセージ登録の手間を省くこともできる。
【００３５】
装置の着信応答の動作フローを以下に示す。
【００３６】
携帯電話装置１は、自装置宛ての着信信号を受けるまで、待ち受け状態となる。
【００３７】
着信信号を受けると、これを制御回路１０が認識し、サウンダ１１の鳴動または表示器１４の光またはバイブレータ１５の振動によって使用者にある決められた時間だけ、着信報知を行う。これと同時に、使用者が着信報知に応答してキー操作を行うかどうかを監視する。
【００３８】
ここで、ある決められた時間だけ、着信報知を行ったにもかかわらず、着信報知に対して応答がなされない場合には、使用者が留守である旨の留守メッセージを送出し、相手のメッセージがある場合にこれを録音する動作に入る。録音が終了し相手が電話を切るか、録音時間が終了すれば、回線を切断し待ち受け状態に復帰する。
【００３９】
上記のある決められた時間とは、実際には、制御回路１０に着信報知時のサウンダ１１による鳴動またはバイブレータ１５による振動の回数を登録しておくことにより、制御回路１０がこの登録の回数だけ着信報知を行うに必要な時間である。
【００４０】
一方、着信報知中に着信報知に対してキー操作による応答がなされた場合には、それぞれのキーにより指定された動作を行う、着信時に使用するキーは、本発明によるところのファンクションキー１６とキー入力器１３の内の保留キーの２種類である。これ以外のキーが押された場合は、エニーキーアンサ機能により、直ちに通話状態になる。
【００４１】
また、保留キーが、押された場合には、これが解除されるまで保留状態になる。保留状態が解除されれば、通話状態になる。  通話状態に入った後は、相手または使用者が電話を切ることにより、回線を切断し待ち受け状態に復帰する。
【００４２】
さて、使用者が直ちに電話にでられない場合には、使用者は、携帯電話装置１に設けられている入力器１３のうちで特に通信相手にメッセージを送出するための機能を割り当てたファンクションキー１６を選択して押すことにより、記憶回路１２に記憶しておいたメッセージを送出することができる。
【００４３】
具体的には、図２においては、ファンクションキー１６を３つ設定しているので、メッセージを３種類まで登録する事ができる。例えば、ファンクションキーＡ（Ｆ１）に「ただいま自動車を運転中ですので停車してからお電話します。」と登録し、ファンクションキーＢ（Ｆ２）に「ただいま列車の車内ですのでデッキに出るまで、このまま少々お待ちください。」と登録し、ファンクションキーＣ（Ｆ３）に「ただいま会議中ですので、１時間後におかけ直しください。」と登録する。
【００４４】
携帯電話装置１は、どのファンクションキーが押されたかを判断し、押されたファンクションキーに対応した。メッセージを記憶回路１２から読みだし、送出する。メッセージを送出した後は、相手のメッセージがある場合があるので、留守メッセージを送出した後の処理と同様のメッセージを録音する動作に入る。録音が終了し相手が電話を切るか、録音時間が終了すれば、回線を切断し待ち受け状態に復帰する。
【００４５】
メッセージ送出の際の機能的な動作は、図１に示したブロックにより説明する。
【００４６】
携帯電話装置１の制御回路１０は、予め、使用者により記憶されている通信相手へのメッセージを記憶回路１２から読み出し、誤り訂正符号復号回路６に入力し、あとは先に述べた送信動作にしたがって通信相手へ宛てて送信する。
【００４７】
こうすることにより、送話器９から音声符号復号化回路７を通して誤り訂正符号復号回路６に入力する音声のパスを、記憶回路１２から誤り訂正符号復号回路６に入力するように切り替えて共通に使用することにより、簡易に記憶回路１２に記憶しておいたメッセージを送出することができる。ここで、音声符号復号化回路７は、アナログとデジタルの相互変換、ＰＣＭ符号復号化処理、高効率音声圧縮伸長処理、等を行うものである。
【００４８】
ひとつのメッセージがひとつのファンクションキー１６に対応しているので、使用者は、自分の置かれている状況において適切なメッセージを、３つのファンクションキー１６から選択し、これを押すことにより簡単に対応することができる。そして、通信相手に対して使用者の置かれている状況を直ちに知らせることができ、通信相手が電話をこのまま保留にしておいた方が良いのか、または、一度電話を切って掛け直した方が良いのかの判断材料を提供することができるわけである。
【００４９】
実際のメッセージの内容は、先に例を示したようにごく簡単な文章で良く、およそ５秒あればよいと考えられるので、３つのメッセージでも１５秒程度である。ところで、現在の携帯電話に使用している記憶回路１２のメッセージ用の容量としては、時間にしておよそ３０秒が一般的な値である。したがって、メッセージを１５秒入れておいても、なお１５秒通信相手からのメッセージを記憶することができる。
【００５０】
前述した実施例では、３つのファンクションキー１６は、同じ大きさであるが、必ずしも同じ大きさである必要はなく、むしろ、車両などを運転中の場合などには、目視で確認を要しないような触れただけで、その特殊性が認識できるファンクションキー１６を設けたり、ファンクションキー１６に代わって触れただけで機能するようなスイッチ、さらには、音声認識などの手段により、その本来の利便性を向上させることもできる。
【００５１】
ここで、ファンクションキー１６に状態保持型のスイッチを用いた場合について説明する。状態保持型のスイッチとは、使用者がスイッチを切替えるまでオンの状態または、オフの状態を保持するものである。
【００５２】
携帯電話の使用者は、自分が電話に出られない状況になることは予見できる。したがって、着信があってからファンクションキー１６を操作する必要はなく、予めファンクションキー１６の状態を設定しておくこともできる。
【００５３】
先に説明したように、図２に示す装置は、ファンクションキー１６を３つ備えている。これらファンクションキー１６に状態保持型のスイッチを用い、それぞれにメッセージを割り当て、これら複数のメッセージから必要とするメッセージ選択する。
【００５４】
図３の動作フローチャートで、着信報知中に着信報知に対してキー操作による応答がなされた場合には、ファンクションキー１６とキー入力器１３の内の保留キーおよび、これ以外のキーのいずれが押されたかを判断する必要があるが、状態保持型のスイッチを用いた場合には、使用者が着信が生じる前に予めいずれかのファンクションキー１６を設定していれば、キーは押された状態にあると判断できる。したがって、着信報知の後、設定されたファンクションキー１６に対応するメッセージを自動的に送出する。
【００５５】
このようにすることで、使用者は、着信時に何ら携帯電話を操作することなく、通信相手に使用者の状況を知らせるメッセージを送出して、通信相手のメッセージを録音し、回線を切断することができる。
【００５６】
もちろん、スイッチをオフの状態にすれば、通信相手に使用者の状況を知らせるメッセージを送出することなく、通常の応答状態にすることもできる。
【００５７】
状態保持型のスイッチとしては、オンとオフの状態をもつスイッチを複数使用したり、複数のポジションを有するスイッチを使用したり、機械的スイッチをソフトウェアにより、例えば、押している時間で複数のメッセージを選択する等のように、機能を定義づけて使用したりすることもできる。
【００５８】
また、ファンクションキー１６に状態保持型のスイッチを用いた場合では、使用者がいずれのファンクションキー１６を設定したかは、ファンクションキー１６または装置を見ただけでは判りにくい。
【００５９】
そこで、ファンクションキー１６の状態またはファンクションキー１６に設定したメッセージに関係する情報をＬＣＤ表示器１４に表示したり、ファンクションキー１６にインジケータを設け、設定されたファンクションキー１６のインジケータを点灯または点滅させて、いずれのファンクションキー１６が設定されているかを表示することもできる。
【００６０】
先にも述べたように、携帯電話装置１の制御回路１０は３つの報知手段を持ち、着信があったときに、予め設定されている着信報知モードで動作する。それらは、サウンダ１１の鳴動による報知、表示器１４の光による報知、バイブレータ１５の振動による報知であり、それらを単独または組合わせて使用する。
【００６１】
この着信報知モードは、複数のメッセージの選択手段としてのファンクションキー１６に関連づけることができる。すなわち、ファンクションキー１６に設定したメッセージにしたがって、車を運転中であればサウンダ１１の鳴動と表示器１４の光による報知、列車の車中や会議中であれば表示器１４の光とバイブレータ１５の振動による報知のように、設定することができる。
【００６２】
図３に示す動作フローチャートは、基本的な考え方を説明するためのものであり、様々な、変形が考えられる。例えば、通信相手にメッセージを送出中であったり、通信相手からのメッセージを録音中であっても、使用者が電話にでられる状況になった場合は、キー押下により処理動作に割り込みをかけて、直ちに通話状態にするということもできる。
【００６３】
そこで、図４に示す別の動作フローについて説明する。
【００６４】
通常、着信時のメッセージとして必要なのは、使用者が留守である場合の、留守メッセージと、使用者が現在置かれている状況を伝えるためのメッセージの２つである。使用者が現在置かれている状況を伝えるためのメッセージは、その状況が様々なので複数用意する必要があるが、相手に送出するのは、その時の状況を示すメッセージひとつである。
【００６５】
そこで、使用者は、携帯電話装置１が、待ち受け状態にある時にキー入力器１３を用いて、メッセージの変更を行う。すなわち、使用者自信が現在置かれている状況に合わせたメッセージを選択する。携帯電話装置１は、このメッセージの変更の動作が行われた場合には、ファンクションキー１６が押された場合に送出するメッセージを予め選択し変更しておく。もちろんこの場合には、ファンクションキー１６は一つしか備えない。
【００６６】
こうすることにより、着信時には、単純にファンクションキー１６を押すことで予め選択しておいたメッセージを相手に送出することができ、使用者が、着信時の忙しい状況の中で必要なメッセージのファンクションキー１６を探す必要も無く、また、携帯電話装置１に形状の大きなファンクションキー１６を設けることができるので操作性の向上が図れる。
【００６７】
本発明による第２の実施例について以下説明する。
【００６８】
この実施例では、図１から図４で示したところのファンクションキー１６の動作を音声検出または音声認識をもって実現することができる。
【００６９】
図１に示す携帯電話装置１の送話器９に入る使用者の音声を音声符号復号化回路７でシリアルのデジタルデータに変換し、誤り訂正符号復号回路６でシリアルからパラレルの信号に変換する。制御回路１０は、この音声が予め決められた信号レベルにあるか、または、予め決められた信号パターンになっているか、または、予め決められた音声パターンに合致するかどうかを判断することにより実現することができる。
【００７０】
この場合、信号処理は、デジタル信号処理を行う方が簡単であり、着信報知中は通話状態でないので、制御回路１０により音声符号復号回路７および誤り訂正符号復号回路６を音声検出または音声認識のために共通に使用することができる。
【００７１】
次に、本発明による第３の実施例について図５から図８を用いて説明する。
【００７２】
図５と図６において携帯電話装置は、携帯電話機１である本体と着信報知機２からなる。
【００７３】
携帯電話機１は前記実施例で示した携帯電話装置の構成と機能を有するほか、着信報知機２と通信するために着信報知用送受信回路４１と着信報知用送受信アンテナ４２を備える。
【００７４】
着信報知機２は、携帯電話機１と通信するための着信報知用送受信回路４１と着信報知用送受信アンテナ４２を備えると共に、マイクロコンピュータを内蔵し、各部の制御を行う着信報知用制御回路２３と、応答情報等を記憶する着信報知用記憶回路２４と、情報入力のためのキー入力器４３と、ファンクションキー１６と、着信報知のバイブレータ２５と、携帯電話機１からの情報を表示するＬＥＤ表示器２６と、表示装置４４から構成される。また、着信報知機２の電源は、電池２８を使用し、電源スイッチ２９を介して各部に供給される。
【００７５】
携帯電話機１と着信報知器２とは無線伝送により情報を送受信する。無線伝送の際に情報は、その情報伝送フォーマットとして、プリアンブル、同期情報、識別情報、伝送情報によりなる一連のビット列より構成される。これを、伝送速度５１２ｂｐｓで着信報知用送受信回路４１に送り３００ＭＨｚの搬送波周波数でＦＭ変調している。
【００７６】
また、情報伝送に際し、情報伝送単位は８ｂｉｔとし、そのうち２ｂｉｔを”１””０”の２ｂｉｔの同期ｂｉｔに割当てる。これは、８ｂｉｔ毎に復調時の同期を取直すことに使用する。これにより、送信側と受信側合わせておよそ±６％の伝送速度誤差を許容することができる。したがって、８ｂｉｔの情報伝送のうち有効な情報は、６ｂｉｔとしている。
【００７７】
図７は、携帯電話機１の動作フローである。携帯電話機１では、着信報知の際、携帯電話機１本体と同時に着信報知機２にも着信報知を行う。そして、着信報知中に、携帯電話機１本体のキー操作があるか、着信報知機２から応答があるかを監視する。
【００７８】
ここで、携帯電話機１本体のキー操作が行われた場合には、前記実施例で示した動作と同様な処理を行う。一方、着信報知機２から応答があった場合には、その応答情報の内容を解析し、送出すべきメッセージを選択する。その後の動作は、携帯電話機１本体のファンクションキーが押された場合と同様の処理を行う。
【００７９】
また、図８は、着信報知機２の動作フローである。
【００８０】
着信報知機２は、携帯電話機１本体からの着信報知信号を受けるまで、待ち受け状態となる。
【００８１】
ここで、使用者は、着信報知機２が、待ち受け状態にある時にキー入力器４３を用いて、携帯電話機１本体から送出しようとするメッセージの変更を行う。すなわち、使用者自信が現在置かれている状況に合わせたメッセージを選択する。着信報知機２は、このメッセージの変更の動作が行われた場合には、ファンクションキー１６が押された場合に送出する応答情報を生成するために、選択されたメッセージの情報を着信報知用記憶回路２４に記憶しておく。
【００８２】
着信報知信号を受けると、これを制御回路１０が認識し、通常はバイブレータ２５による振動によって使用者にある一定の時間だけ、着信報知を行う。これと同時に、使用者が着信報知に応答してキー操作を行うかどうかを監視する。
【００８３】
ここで、ある決められた時間だけ、着信報知を行ったにもかかわらず、着信報知に対して応答がなされない場合には、使用者が留守であると判断し待ち受け状態に復帰する。
【００８４】
上記のある一定の時間とは、実際には、使用者が応答に要する時間であればよいので３０秒から１分程度に設定している。
【００８５】
一方、着信報知中に着信報知に対してキー操作による応答がなされた場合には、着信報知機２は、着信報知用記憶回路２４に記憶しておいたメッセージの情報を基に、応答情報を生成し、着信報知用送受信回路４１から着信報知用送受信アンテナ４２を介して携帯電話機１本体に応答情報を送信する。
【００８６】
このように、小型の着信報知機２を備えることで、着信時に携帯電話機１本体が鞄の中にあっても、着信報知機２を衣服のポケットなどに入れておけば、いちいち携帯電話機１を操作することなく、相手にメッセージを送ることができる。また、操作性も向上する。
【００８７】
さらに、この実施例における別の形態として、着信報知機２を腕時計の中に構成し、その操作性をさらに向上することもできる。腕時計などは、体に直接装着できるため、着信報知の際のバイブレータによる振動を確実に知覚することができる利点があり、これに応答する際にも、着信報知機を探すことなく操作することができるので、例えば、自動車などを運転中の場合でも、運転に支障をきたすことなく、着信報知器の操作を行うことが可能である。
【００８８】
また、上記の実施例の中で説明した無線とは、電波に限定することなく赤外線や超音波等の他の媒体も利用することでも実現可能である。
【００８９】
さらに第４の実施例について説明する。
【００９０】
上記の実施例では、発信相手へのメッセージを携帯電話装置の記憶回路に記憶することが特徴である。しかしながら、着信時に発信相手に送出するメッセージの内容としては、数多くの種類を準備する必要はない。実際、１０数種類の異なる内容のメッセージがあれば、必要十分であると考えられる。すると、携帯電話装置各々に同じようなメッセージを記憶して置くことは、合理的でない。
【００９１】
そこで、発信相手へのメッセージとして定型のメッセージを必要数用意して、これを無線基地局または、交換局内にデータベースとして記憶しておく。携帯電話の使用者は、発信相手にメッセージを送出したい時には、上記実施例で示したメッセージの代わりにデータベースとして記憶してあるメッセージのコードを無線基地局または、交換局に送出する。無線基地局または、交換局では、メッセージのコードを解析しデータベースから必要なメッセージを発信相手に送出する。
【００９２】
こうすることで、携帯電話装置内の記憶回路にメッセージを記憶する必要が無いので、携帯電話装置内の記憶回路を小型化することができる。
【００９３】
また、発信者番号通知サービス等で着信があった時に、発信者の情報が得られるような場合は、この情報から通信相手に送出するメッセージを選択して送出することもできる。
【００９４】
例えば、予め電話番号とこれに対応するメッセージを登録しておき、着信時の通信相手の電話番号を利用して、これが予め登録されている電話番号と同じであれば、これに対応するメッセージを選択して、通信相手に送出するようにすることもできる。
【００９５】
前記４つの実施例では、本発明の実施例としてデジタル自動車電話システムの移動局装置を用いて説明したが、本発明は、必ずしもこの方式に限定されるべきものではなく、本発明の目的を達成するために考えうる他の構成についても、これを包含するものである。例えば、一般公衆回線に接続されている電話装置にも適用することができる。さらに、実施例の中で説明している装置の外観、構成、回路、手段などは、実施例に示したものに限定するものではない。
さらに、前記４つの実施例によれば、携帯電話の使用者が、車両などを運転中の場合でも、運転に支障をきたすことなく通信相手に使用者の状況を知らせることにより、適切な応答ができる。また、携帯電話装置の使用が制限（電磁波の影響による制限でなく、携帯電話使用のマナーによる制限）されている場所でも、バイブレータによる振動着信報知手段との併用により他人に迷惑を及ぼすことなく、通信相手に使用者の状況を知らせることにより、適切な応答をすることができる。
【００９６】
【発明の効果】
本発明の携帯電話装置は、携帯電話装置の使用者が直ちに電話にでられない場合であっても、その状況を発信相手に通知することができる。
【図面の簡単な説明】
【図１】本発明の第１の実施例における携帯電話装置の構成図。
【図２】本発明の第１の実施例における携帯電話装置の外観図。
【図３】本発明の第１の実施例における携帯電話装置の動作フローチャート。
【図４】本発明の第１の実施例における別の携帯電話装置の動作フローチャート。
【図５】本発明の第３の実施例における携帯電話機と着信報知機の構成図。
【図６】本発明の第３の実施例における携帯電話機と着信報知機の外観図。
【図７】本発明の第３の実施例における携帯電話機の動作フローチャート。
【図８】本発明の第３の実施例における着信報知機の動作フローチャート。
【符号の説明】
１  携帯電話装置（携帯電話機）
３  アンテナ
４  無線送受信回路（送受信回路）
５  デジタル変復調回路（変復調回路）
６  誤り訂正符号復号回路（ＣＨ−ＣＯＤ）
７  音声符号復号回路（ＳＰ−ＣＯＤ）
８  受話器
９  送話器
１０  制御回路
１１  サウンダ
１２  記憶回路
１３  キー入力器（入力器）
１４  ＬＣＤ表示器（表示器）
１５  バイブレータ
１６  ファンクションキー
１８  バッテリ電源
１９  電源スイッチ
２  着信報知機
２３  着信報知用制御回路（制御回路）
２４  着信報知用記憶回路（記憶回路）
２５  バイブレータ
２６  ＬＥＤ表示器（ＬＥＤ）
２８  電池
２９  電源スイッチ
４１  着信報知用送受信回路（送受信回路）
４２  着信報知用送受信アンテナ
４３  キー入力器（入力器）
４４  表示装置
【図１】
0003564985.tif 000002
【図２】
0003564985.tif 000003
【図３】
0003564985.tif 000004
【図４】
0003564985.tif 000005
【図５】
0003564985.tif 000006
【図６】
0003564985.tif 000007
【図７】
0003564985.tif 000008
【図８】
0003564985.tif 000009